(57)【要約】【課題】扉を開放するためのスペースが狭くすむとともに、各種工具や光ファイバー用有着接続機、計測器等の道具を仮置き可能で作業性に富んだ電気機器収納箱を提供する。【解決手段】前扉２を、収納箱本体１ａに軸支される下板２ｂと、該下板２ｂの後面側へ蝶番１３、１３、１３を介して折り畳み可能に連結された上板２ａとから構成し、下板２ｂの開口を開放する方向への回動に伴い上板２ａを折り畳むことで、開放時における前扉２の収納箱本体１ａからの前方への突出量を低減するようにした。また、上板２ａの前面に、前扉２の開放時に、上板２ａが略水平となる状態にて前扉２を固定するための固定部材１１を設けた。【選択図】図６
2008288443.tif 000002
【特許請求の範囲】
【請求項１】
前面が開口した収納箱本体と、前面の開口を開閉する前扉とを備えてなる電気機器収納箱であって、
前記前扉が、その下端縁を軸として回動可能に前記収納箱本体に取り付けられるとともに、
前記前扉が、前記収納箱本体に軸支される下板と、該下板の後面側へ蝶番を介して折り畳み可能に連結された上板とからなり、前記下板の前記開口を開放する方向への回動に伴い前記上板を折り畳むことで、開放時における前記前扉の前記収納箱本体からの前方への突出量を低減可能としたことを特徴とする電気機器収納箱。
【請求項２】
前扉の開放時に、上板が略水平となる状態にて前記前扉を固定するための固定部材を設けたことを特徴とする請求項１に記載の電気機器収納箱。
【請求項３】
上板の前面周縁に、枠状のフレーム部材を周設するとともに、該フレーム部材の少なくとも一部を前記上板の前面に対して起倒可能とし、さらも該フレーム部材の少なくとも一部に、起立状態において収納箱本体に係止して該起立状態を維持するための係止部を設け、前記フレーム部材の前記一部を固定部材として利用可能としたことを特徴とする請求項２に記載の電気機器収納箱。
【請求項４】
下板と収納箱本体とを、伸縮可能で且つ回動するく字状のアーム部材を介して連結したことを特徴とする請求項１〜３のいずれかに記載の電気機器収納箱。
【請求項５】
前面が開口した収納箱本体と、前面の開口を開閉する前扉とを備えてなる電気機器収納箱であって、
前記前扉が、その下端縁を軸として回動可能に前記収納箱本体に取り付けられるとともに、
前記前扉が、前記収納箱本体に軸支される下板と、該下板の後面側へスライド可能に連結された上板とからなり、前記下板の前記開口を開放する方向への回動に伴い前記上板をスライドさせることで、開放時における前記前扉の前記収納箱本体からの前方への突出量を低減可能としたことを特徴とする電気機器収納箱。
【発明の詳細な説明】
【技術分野】
【０００１】
本発明は、たとえば通信機器等の各種電気機器を収納するための電気機器収納箱に関するものである。
【背景技術】
【０００２】
従来、電気機器収納箱としては、たとえば特許文献１に開示されているように収納箱本体の前面に扉を片開き可能に備えてなるものや、図８に示す如く、一つの扉にて収納箱本体の前面と側面とを同時に開放するようにしたもの等がある。
【０００３】
【特許文献１】特開平９−１８１６６号公報
【０００４】
ここで、図８に示す従来の電気機器収納箱５１について説明する。
電気機器収納箱５１は、天板、底板、及び片側板を備え、前面、後面、及び一側面が開口した正面視コ字状の収納箱本体５２と、該収納箱本体５２の前面開口と側面開口の前部とを開閉する平面視Ｌ字状の前扉５３と、収納箱本体５２の後面開口と側面開口の後部とを開閉する平面視Ｌ字状の後扉５４とを備えてなる。収納箱本体５２の側面開口の略中央には、天板から底板に亘って蝶番支持板５５が架設されており、前扉５３及び後扉５４は、該蝶番支持板５５に設置された蝶番５６を軸として片開き自在となっている。したがって、図８に示す如く前扉５３を開放すると、前面開口とともに側面開口の前部が開放されるようになっている。
【発明の開示】
【発明が解決しようとする課題】
【０００５】
しかしながら、特許文献１に記載の電気機器収納箱によれば、扉を開放するためのスペースを扉の前方に大きくとる必要があり、設置条件に制限が生じる。また、図８に示すような電気機器収納箱５１では、扉の前方のみならず、開放側の側方にも扉開放のためのスペースが必要となるため、設置条件に更に制限が生じ、壁面等に沿って複数の電気機器収納箱５１、５１・・を並設する場合等には極めて使い勝手が悪い。さらに、高所に上記従来の電気機器収納箱を設置した場合、扉を開閉して作業するにあたり、扉の前方で体を大きく仰け反らなくてはならない等の問題もあった。
加えて、電気機器収納箱を設置した後、内部に電気機器を取り付けたり、該電気機器の設定やメンテナンスをするにあたり、各種工具や光ファイバー用有着接続機、計測器等を仮置きすることができず、高所で作業するような場合には極めて作業性が悪いという問題があった。
【０００６】
そこで、本発明は、上記問題に鑑みなされたものであって、扉を開放するためのスペースが狭くすむとともに、各種工具や光ファイバー用有着接続機、計測器等の道具を仮置き可能で作業性に富んだ電気機器収納箱を提供しようとするものである。
【課題を解決するための手段】
【０００７】
上記目的を達成するために、本発明のうち請求項１に記載の発明は、前面が開口した収納箱本体と、前面の開口を開閉する前扉とを備えてなる電気機器収納箱であって、前記前扉が、その下端縁を軸として回動可能に前記収納箱本体に取り付けられるとともに、前記前扉が、前記収納箱本体に軸支される下板と、該下板の後面側へ蝶番を介して折り畳み可能に連結された上板とからなり、前記下板の前記開口を開放する方向への回動に伴い前記上板を折り畳むことで、開放時における前記前扉の前記収納箱本体からの前方への突出量を低減可能としたことを特徴とする。
請求項２に記載の発明は、請求項１に記載の発明において、前扉の開放時に、上板が略水平となる状態にて前記前扉を固定するための固定部材を設けたことを特徴とする。
請求項３に記載の発明は、請求項２に記載の発明において、上板の前面周縁に、枠状のフレーム部材を周設するとともに、該フレーム部材の少なくとも一部を前記上板の前面に対して起倒可能とし、さらも該フレーム部材の少なくとも一部に、起立状態において収納箱本体に係止して該起立状態を維持するための係止部を設け、前記フレーム部材の前記一部を固定部材として利用可能としたことを特徴とする。
請求項４に記載の発明は、請求項１〜３のいずれかに記載の発明において、下板と収納箱本体とを、伸縮可能で且つ回動するく字状のアーム部材を介して連結したことを特徴とする。
また、上記目的を達成するために、本発明のうち請求項５に記載の発明は、前面が開口した収納箱本体と、前面の開口を開閉する前扉とを備えてなる電気機器収納箱であって、前記前扉が、その下端縁を軸として回動可能に前記収納箱本体に取り付けられるとともに、前記前扉が、前記収納箱本体に軸支される下板と、該下板の後面側へスライド可能に連結された上板とからなり、前記下板の前記開口を開放する方向への回動に伴い前記上板をスライドさせることで、開放時における前記前扉の前記収納箱本体からの前方への突出量を低減可能としたことを特徴とする。
【発明の効果】
【０００８】
請求項１に記載の発明によれば、前扉が、その下端縁を軸として回動可能に収納箱本体に取り付けられるとともに、前扉が、収納箱本体に軸支される下板と、該下板の後面側へ蝶番を介して折り畳み可能に連結された上板とからなり、下板の開口を開放する方向への回動に伴い上板を折り畳むことで、開放時における前扉の収納箱本体からの前方への突出量を低減可能としている。したがって、前扉の開放のために必要なスペースが従来よりも狭くてすみ、従来と比較して設置条件等に拘らない使い勝手のよい電気機器収納箱とすることができるし、たとえ高所等に設置したとしても、前扉を開放する際に体を大きく仰け反らせたりする必要がなく、作業性に優れた電気機器収納箱とすることができる。
また、請求項２に記載の発明によれば、前扉の開放時に、上板が略水平となる状態にて前扉を固定するための固定部材を設けている。したがって、上板の上面を、各種機器の取り付けやメンテナンス等に使用する各種工具や光ファイバー用有着接続機、計測器等を載置可能な作業スペースとして確保することができ、特に電気機器収納箱の高所等への設置時における作業性を向上することができる。
さらに、請求項３に記載の発明によれば、上板の前面周縁に、枠状のフレーム部材を周設するとともに、該フレーム部材の少なくとも一部を上板の前面に対して起倒可能とし、さらに該フレーム部材の少なくとも一部に、起立状態において収納箱本体に係止して該起立状態を維持するための係止部を設けている。このように、上板の前面に確保される作業スペースをフレーム部材により囲むことで、作業スペースに載置する工具等の転落を防止することができ、作業性の更なる向上を図ることができる。加えて、作業スペースを囲むフレームの一部を固定部材としているため、構成の合理化、部品点数の削減等といった利点もある。
加えて、請求項４に記載の発明によれば、下板と収納箱本体とを、伸縮可能で且つ回動するく字状のアーム部材を介して連結している。したがって、該アーム部材により下板の回動が案内されることになり、下板すなわち前扉をスムーズに回動させることができるようになる。また、アーム部材の動作角度を制限する等することで、固定部材等を設けなくとも前扉を略水平に開放した状態で維持することが可能となり、固定部材の操作し忘れによる不用意な前扉の動作等といった事態を防止することができるし、部品の削減等といった効果もある。
一方、請求項５に記載の発明によれば、前扉が、その下端縁を軸として回動可能に収納箱本体に取り付けられるとともに、前扉が、収納箱本体に軸支される下板と、該下板の後面側へスライド可能に連結された上板とからなり、下板の開口を開放する方向への回動に伴い上板を下板の後面側へスライドさせることで、開放時における前扉の収納箱本体からの前方への突出量を低減可能としている。したがって、請求項１に記載の発明同様、前扉の開放のために必要なスペースが従来よりも狭くてすみ、従来と比較して設置条件等に拘らない使い勝手のよい電気機器収納箱とすることができるし、たとえ高所等に設置したとしても、前扉を開放する際に体を大きく仰け反らせたりする必要がなく、作業性に優れた電気機器収納箱とすることができる。
【発明を実施するための最良の形態】
【０００９】
以下、本発明の一実施形態となる電気機器収納箱（以下、収納箱と称す）について、図面をもとに説明する。
【００１０】
図１は、本発明にかかる収納箱１の外観を示した斜視説明図である。また、図２は、収納箱本体１ａを示した斜視説明図であり、図３は、前扉２の後面側を示した斜視説明図である。
収納箱１は、天板３、底板４、左右側板５、５、及び背板６を組み付けてなる収納箱本体１ａと、当該収納箱本体１ａの前面開口を開閉するための前扉２とからなり、収納箱本体１ａ内部には、各種通信機器等の電気機器を設置可能となっている。左右側板５、５の前縁下端の内面には、後述する前扉２を蝶着するための軸孔７が設けられている。また、右側板５の軸孔（図示せず）の上方には、前扉２の固定突起１１ａが嵌入係止可能な固定孔９（図５に示す）が穿設されている。さらに、天板３の前縁略中央の下面には、前扉２の錠金具１２ａが係合可能で、前扉２を前面開口の閉塞状態において固定するための止め金具（図示せず）が設置されている。尚、８は、電気機器を取り付けるための取付部材である。
【００１１】
一方、前扉２は、略同じ大きさに成形された上板２ａと下板２ｂとを３つの蝶番１３、１３、１３により左右方向を軸として折り畳み可能に連結してなるものであり、その下縁を軸として片開き可能に収納箱本体１ａに取り付けられている。尚、蝶番１３、１３、１３は、上板２ａと下板２ｂとの後面同士を連結しており、前扉２は、その開放に伴って、上板２ａと下板２ｂとの後面同士を当接させた状態で、上板２ａを下板２ｂの上方に載置するように折り畳むことができる（図４に示す）。
【００１２】
また、上板２ａの上端略中央には、前扉２を閉塞状態で固定するための錠金具１２ａを有する錠装置１２が設置されている。さらに、上板２ａ前面の右側縁から上縁右部にかけて、略Ｌ字状の固定部材１１が取り付けられている。該固定部材１１は、蝶番１４、１４によって上下方向を軸として上板２ａ前面上で起倒可能に取り付けられている。また、固定部材１１の錠装置１２近傍側の端部前面には、収納箱本体１ａの固定孔９に嵌入係止して、固定部材１１を起立状態で保持し、前扉２を開放状態にて固定するための固定突起１１ａが前方へ一体的に突設されている。さらに、固定部材１１の錠装置１２近傍側の端部後面には、固定部材１１を倒伏状態で保持するための係止片１１ｂが後方へ突設されており、上板２ａの錠装置１２近傍の対応する位置には、該係止片１１ｂが係止可能な係止孔１８（図６に示す）が穿設されている。加えて、上板２ａ前面の左側縁から下縁にかけては、略Ｌ字状のフレーム部材１５が取り付けられている。そして、該フレーム部材１５、及び固定部材１１に囲まれてなるスペースが、後述の如く前扉２の開放時に作業スペースＳとして機能するようになっている。尚、錠装置１２は、自身のロック／アンロック操作及び前扉２の開閉操作のための操作ハンドルとしての機能も有している。また、フレーム部材１５の左側部は、下方へ向かって（前扉２開放時に手前側へ向かって）徐々に肉厚となるテーパ状に形成されており、下縁部が最も肉厚となっている。
【００１３】
さらに、下板２ｂの左右側面下端部には、左右方向へ回動軸１６が突設されており、該回動軸１６が収納箱本体１ａの軸孔７へ軸支される。加えて、下板２ｂの前面下部には、幅広なコ字状の保護フレーム１７が取り付けられている。該保護フレーム１７は、前扉２の開放時に地面等に当接する際に支持台として機能したり、下板２ｂの下端縁を保護したりするもので、合成樹脂により形成され、その前面には滑り止めのための凹凸が形成されている。
【００１４】
上述したような収納箱１における前扉２の開放動作について、図４〜図６をもとに説明する。図４は、前扉２を開放する様子を示した斜視説明図であり、図５は、前扉２開放状態における収納箱１を左側から示した斜視説明図である。また、図６は、前扉２を開放状態にて固定した様子を示した斜視説明図である。
まず、錠装置１２を操作ハンドルとして機能させて回動させることにより、錠金具１２ａと止め金具とによるロックを解除（すなわち、アンロック）とした後、前扉２を、その下端部を軸として手前側に片開きし、前扉２を若干開放させる。
次に、上板２ａを下板２ｂの上側に載置する方向へ折り畳み（図４（ａ））ながら、前扉２をさらに開放（すなわち、下板２ｂを開放）方向へ回動させ、下板２ｂの開放角度が略９０度となる（すなわち、上板２ａの上面が略水平となる）まで前扉２を開放させる（図４（ｂ））。
そして、当該状態において、固定部材１１を起立させ、固定突起１１ａを固定孔９内へ嵌入係止させ、前扉２を開放状態にて固定すれば（図６）、作業スペースＳへ各種工具や光ファイバー用有着接続機、計測器等を載置しながら、収納箱本体１ａ内に各種機器を取り付けたり、各種機器のメンテナンス等を行うことができるようになる。
【００１５】
以上のような構成を有する収納箱１によれば、収納箱本体１ａに前扉２をその下端部を軸として片開き可能に取り付けているとともに、前扉２を上板２ａと下板２ｂとで構成し、前扉２の開放に伴い上板２ａを下板２ｂ上へ折り畳み可能としているため、収納箱本体１ａの前方への前扉２の突出量を低減することができ、前扉２の開放のために必要なスペースが従来よりも狭くてすむ。したがって、従来より設置条件等に拘らない使い勝手のよい収納箱１とすることができるし、たとえ高所等に設置したとしても、前扉２を開放する際に体を大きく仰け反らせたりする必要がなく、作業性に優れた収納箱１とすることができる。
【００１６】
また、上述の如く前扉２を折り畳み可能に構成するとともに、前扉２に固定部材１１を設けており、上板２ａの上面が略水平となる折り畳み状態において前扉２を固定可能としている。したがって、上板２ａの上面を、各種機器の取り付けやメンテナンス等に使用する各種工具や光ファイバー用有着接続機、計測器等を載置可能な作業スペースＳとして確保することができ、収納箱１の高所等への設置時における作業性を特に向上することができる。
【００１７】
さらに、上板２ａの前面にフレーム部材１５、固定部材１１を設け、当該フレーム部材１５及び固定部材１１により作業スペースＳの周囲を囲んでいる。したがって、作業スペースＳに載置した工具等の転落を防止することができ、作業性の更なる向上を図ることができるし、作業スペースＳを囲むフレームの一部として固定部材１１を採用しているため、構成の合理化、部品点数の削減等といった利点もある。
【００１８】
なお、本発明の収納箱に係る構成は、上記実施形態に記載の態様に何ら限定されるものではなく、収納箱本体、前扉、該前扉の開閉に係る機構部等の構成を、本発明の趣旨を逸脱しない範囲で、必要に応じて適宜変更することができる。
【００１９】
たとえば、図７に示す如く、回動及び伸縮動作可能なく字状のアーム部材２１等を収納箱本体１ａ内部又は外部に設け、当該アーム部材２１により前扉２の回動を案内するように構成してもよい。当該構成を採用することで、前扉２をスムーズに折り畳みながら回動させることができるようになる。また、アーム部材２１の動作角度を制限する等により、固定部材等を設けなくとも前扉２を略水平に開放した状態で維持することができ、固定部材の操作し忘れによる不用意な前扉の動作等といった事態を防止することができるし、部品の削減等といった効果もある。
さらに、上記実施形態では、下板２ｂに対して上板２ａを折り畳むことにより、前扉２の上下方向高さを縮退可能としているが、下板２ｂに対して上板２ａをスライド可能に取り付け、上板２ａのスライド操作（図７に示す）により前扉２の上下方向高さを縮退させるようにしても同様の効果を奏することができる。尚、前扉２の開放状態において、上板２ａを下板２ｂ上で固定するための固定機構（たとえば、係止片等による下板２ｂへの係止）を適宜設けてもよいことは言うまでもない。
【図面の簡単な説明】
【００２０】
【図１】本発明にかかる収納箱の外観を示した斜視説明図である。
【図２】収納箱本体を示した斜視説明図である。
【図３】前扉の後面側を示した斜視説明図である。
【図４】前扉を開放する様子を示した斜視説明図である。
【図５】開放状態における収納箱を左側から示した斜視説明図である。
【図６】前扉を開放状態にて固定した様子を示した斜視説明図である。
【図７】本発明にかかる収納箱の変更例を示した斜視説明図である。
【図８】従来の収納箱について示した斜視説明図である。
【符号の説明】
【００２１】
１・・収納箱、１ａ・・収納箱本体、２・・前扉、２ａ・・上板、２ｂ・・下板、９・・固定孔、１１・・固定部材、１１ａ・・固定突起、１３、１４・・蝶番、１５・・フレーム部材、１６・・回動軸、２１・・アーム部材。
【図１】
2008288443.tif 000003
【図２】
2008288443.tif 000004
【図３】
2008288443.tif 000005
【図４】
2008288443.tif 000006
【図５】
2008288443.tif 000007
【図６】
2008288443.tif 000008
【図７】
2008288443.tif 000009
【図８】
2008288443.tif 000010